(57)【要約】【課題】鍵盤メカユニットを楽器本体から引き出した状態で鍵盤メカユニットに増設可能な消音装置を提供する。【解決手段】ハンマーの配列を複数に区分し、各区分の境界位置に後付け固定具２７を設ける。後付け固定具に一方の回動遊端の相互に回動軸２８を差し渡した回動アーム２６を装着する。回動軸をハンマーシャンクと弦の間の空間に架設する。回動軸の周面の一部から一方向に突片が突出し、突片の突出端に緩衝材が装着され消音バーを構成する。回動軸の回動位置を調整し、打鍵時にハンマーシャンクが跳ね上がる際にハンマーが弦に突き当たる直前にハンマーシャンクが消音バーに当接する消音モードと、消音バーがハンマーシャンクの上昇を阻止しない演奏モードとに切替え可能とし、更に回動アームを回動させることにより消音装置を増設した鍵盤メカユニットを楽器本体から引き出すこと及び外部から楽器本体に収納することを可能とする。【選択図】図１
2008233642.tif 000002
【特許請求の範囲】
【請求項１】
弦とハンマーシャンクとの間の空間に配置した回動軸と、
この回動軸の周面から一方向に突出した消音バーと、
この消音バーの突出方向を調整し消音モードと発音モードとに切替える切替手段と、
前記回動軸を所定位置から降下させる降下手段と、
を備えることを特徴とする電子楽器。
【請求項２】
床面と平行な姿勢で支持される棚板と、この棚板の周縁に所定の高さを維持して巡らされ、一部に開放面を形成する側板と、この側板の前記開放面に隣接して前記側板の上側の相互に差し渡されたピン板と、このピン板と前記側板とで囲まれる平面に実装されたフレームと、このフレームとピン板に設けられたピンによって端が固定され、所望の音高の音を発生する弦とによって楽器本体を構成し、
更に、前記棚板と前記ピン板と側板とによって形成される空洞内の前記棚板上に摺動自在に配置された基台と、この基台上において前記空洞の開放面から外向に突出し、前記棚板とほぼ平行な姿勢で配列されたキーと、前記空洞の内部において前記キーの配列方向と平行する軸を軸芯として回動自在に支持され、前記空洞の背面側から後方に突出し、平素は後方に向う程漸次棚板に近づく向に傾斜した姿勢で支持されたハンマーシャンクと、各ハンマーシャンクの回動遊端に装着されたハンマーとによって鍵盤メカユニットが構成され、これら楽器本体及び鍵盤メカユニットにより鍵盤楽器を構成すると共に、前記ハンマーシャンクの回動遊端と前記弦との間の空間に前記ハンマーシャンクの配列方向と平行する軸を回動軸芯として前記ハンマーシャンクの配列範囲の全幅にわたって差し渡された回動軸と、この回動軸の周面から突出した突片及びこの突片の突出端に装着された緩衝材とによって構成された消音バーと、前記回動軸を回動させ、前記消音バーの突出方向を変更し、前記鍵盤楽器を消音モードと発音モードとに切替える切替手段と、前記キーの各キーに対応して設けられ、打鍵されたキーを検出する打鍵検出スイッチ群と、前記鍵盤メカユニットを前記空洞から引き出す際に前記回動軸を前記支持位置から降下させる支持位置解除手段と、
を備えることを特徴とする電子楽器。
【請求項３】
装着対象となる鍵盤楽器のハンマーレールに沿って配列された複数の回動アームと、
この複数の回動アームの相互間に回動自在に装着された回動軸と、
この回動軸の周面から一方向に突出した消音バーと、
前記回動軸の回動位置を調整し、前記消音バーの突出方向を切替える切替手段と、
前記消音バーの位置を高位置から低位置に開放させる支持位置解除手段と、
を備えることを特徴とする電子楽器用消音装置。
【請求項４】
鍵盤メカユニットに実装されているハンマーシャンクの回動面と平行する回動面に沿って回動自在に支持され、鍵盤メカユニットの全幅を複数に分割し、各分割点毎に設けた複数の回動アームと、
この複数の回動アームのそれぞれの回動遊端側の相互に差し渡され、前記ハンマーシャンクの配列方向と平行する軸を回動軸芯として回動自在に支持された回動軸と、
この回動軸の周面から一方向に突出した突片及びこの突片の突出端に装着した緩衝材とによって構成した消音バーと、
この消音バーの突出方向を調整し、鍵盤楽器を発音モードと消音モードとに切替える切替手段と、
平素は前記消音バーの位置を前記ハンマーシャンクから離れた位置に支持し、前記鍵盤メカユニットを楽器本体から引き出す際に前記消音バーの支持位置を前記ハンマーシャンクから離れた位置から前記ハンマーシャンクに近づく位置に降下させる支持位置解除手段と、
を備えることを特徴とする電子楽器用消音装置。
【請求項５】
請求項３または４の何れかに記載の電子楽器用消音装置において、前記支持位置解除手段と前記回動アームとの間に前記消音バー支持位置微調手段を備え、前記消音バーの架設位置を微調整できる構成としたことを特徴とする電子楽器用消音装置。
【請求項６】
請求項３乃至５の何れかに記載の電子楽器用消音装置において、前記消音バーは前記ハンマーの配列の全幅の区間において複数に分割され、各分割区間毎に支持位置解除手段と消音バー支持位置微調手段を備える構成としたことを特徴とする電子楽器用消音装置。
【請求項７】
請求項３乃至６の何れかに記載の電子楽器用消音装置において、前記消音バーは前記ハンマーの配列の全幅の区間において複数に分割され、一部の分割位置において、クランク形状の継手によって連結し、このクランク形状の継手によって楽器本体のフレームの突起を回避する構成としたことを特徴とする電子楽器用消音装置。
【発明の詳細な説明】
【技術分野】
【０００１】
この発明は通常のピアノを消音モードに切替え可能とし、消音モードでは電子回路で生成した信号により音を発生する構成とした電子楽器であり、更にこの電子楽器に搭載する電子楽器用消音装置に関する。
【背景技術】
【０００２】
従来より通常のピアノ（以下アコースティックピアノと称す）に消音機能を付加し、消音モードでは電子楽器として機能させる消音機能付ピアノが各種提案されている（特許文献１、特許文献２）。
【０００３】
ここでグランドピアノの構成の概要を説明する。グランドピアノは図６に示すように床面と平行な姿勢で支持される棚板１１と、この棚板１１の周縁に所定の高さを維持して巡らされ、一部に開放面１２を形成する側板１３と、この側板１３が開放された開放面１２に隣接して側板１３の上側の相互に差し渡されたピン板１４と、このピン板１４と側板１３とによって囲まれる平面に実装されるフレーム１５と、このフレーム１５とピン板１４に設けられたチューニングピン１６Ａと、こまピン（非図示）によって音高を決める両端が固定され、所望の音高の音を発生する弦１６とによって楽器本体１０が構成される。
【０００４】
一方鍵盤メカユニット２０は図７に示すように基台２１と、この基台２１の上部に搭載されたキー２２と、キー２２の打鍵により上向に跳ね上げられるハンマーシャンク２３と、このハンマーシャンク２３の各回動遊端に装着されたハンマー２４と、ハンマーシャンク２３を回動自在に支持するハンマーレール２５と、打鍵されたキーの位置を検出する打鍵検出スイッチＫＳＷとによって構成される。
【０００５】
尚、キー２２とハンマーシャンク２３との間にハンマーアクション機構が存在するが、この発明ではこのハンマーアクション機構を発明の対象とするものではなく、ここではキー２２を打鍵するとこれに連動してハンマーシャンク２３が弦１６に向って跳ね上げられ、ハンマー２４が弦１６に衝撃を与える動作が理解できればよい。
鍵盤メカユニット２０の主要部は図６に示したように棚板１１と側板１３とピン板１４とによって形成される空洞１７の内部に収納される。キー２２は空洞１７の開放面１２から前方に突出して配置され、ハンマー２４は空洞１７の背面側に突出して配置される。
【０００６】
ハンマー２４の各ハンマーが定常位置（無打鍵時）に存在している状態では、ハンマー２４はピン板１４の下面より低い位置に存在するが基台２１をロックしているロック機構のロックを外すことにより基台２１を手前に引き出すことができる。つまり鍵盤メカユニット２０を空洞１７の外側に引き出すことができる。基台２１は引き出す方向のロックが施錠されている状態でも空洞１７の内部では演奏者から見て左右の方向に移動することができる。つまり、特に図示していないが、ピアノには弱音ペダルが備えられ、弱音ペダルを踏むと基台２１が数ｍｍ程度右側又は左側に移動し、ハンマー２４が打撃する弦の本数を減少させ、発音量を減少させる機能を備える。この結果、鍵盤メカユニット２０は空洞１７の貫通方向及びキーの配列方向の何れにも摺動できるように配置されている
【特許文献１】特許第３７４３３６３号明細書
【特許文献２】特許第３４８４６８０号明細書
【発明の開示】
【発明が解決しようとする課題】
【０００７】
グランドピアノにあっては、図６及び図７で説明したように鍵盤メカユニット２０を空洞１７から引き出すことができる。然し乍ら空洞１７の上面はピン板１４で塞がれており、通過できる高さに制限を受ける。この結果従来、つまり特許文献１では鍵盤メカユニット２０に消音装置を装着すると鍵盤ユニット２０を外側に引き出すことができなくなるものと判断し、消音装置を楽器本体１０側に装着している。
【０００８】
ピアノの製造時に消音装置を組み込む場合には消音装置の組み込みを行うことができる。然し乍ら消音装置を後付けする場合、その組み込み作業はピアノをユーザ宅より工場に引き取り、工場で消音装置を組み込む作業を行っている。この結果、ピアノの移送費用、消音装置の組み込みに要する費用を必要とし、多額な費用が発生する。
この発明の目的はユーザ宅でも比較的簡素にピアノに組み込むことができる電子楽器用消音装置と、この消音装置を実装した電子楽器を提供しようとするものである。
【課題を解決するための手段】
【０００９】
この発明ではピアノの中の特にグランドピアノは鍵盤メカユニットをピアノ本体から引き出すことができる構造に注目し、鍵盤メカユニットをピアノ本体から引き出した状態で鍵盤メカユニットに消音装置を後付け可能とした点を特徴とするものである。
本発明で請求する電子楽器の具体的な構成は、
弦とハンマーシャンクとの間の空間に配置した回動軸と、この回動軸の周面から一方向に突出した消音バーと、この消音バーの突出方向を調整し消音モードと発音モードとに切替える切替手段と、回動軸を所定位置から降下させる降下手段とを備えることを特徴とする。
【００１０】
本発明で請求する電子楽器の更に具体的な構成は床面と平行な姿勢で支持される棚板と、この棚板の周縁に所定の高さを維持して巡らされ、一部に開放面を形成する側板と、この側板の開放面に隣接して側板の上側の相互に差し渡されたピン板と、このピン板と側板とで囲まれる平面に実装されたフレームと、このフレームとピン板に設けられたピンによって端が固定され、所望の音高の音を発生する弦とによって楽器本体を構成し、更に、棚板とピン板と側板とによって形成される空洞内の棚板上に摺動自在に配置された基台と、この基台上において空洞の開放面から外向に突出し、棚板とほぼ平行な姿勢で配列されたキーと、空洞の内部においてキーの配列方向と平行する軸を軸芯として回動自在に支持され、空洞の背面側から後方に突出し、平素は後方に向う程漸次棚板に近づく向に傾斜した姿勢で支持されたハンマーシャンクと、各ハンマーシャンクの回動遊端に装着されたハンマーとによって鍵盤メカユニットが構成され、これら楽器本体及び鍵盤メカユニットとにより鍵盤楽器を構成すると共に、ハンマーシャンクの回動遊端と前記弦との間の空間にハンマーシャンクの配列方向と平行する軸を回動軸芯としてハンマーシャンクの配列範囲の全幅にわたって差し渡された回動軸と、この回動軸の周面から突出した突片及びこの突片の突出端に装着された緩衝材とによって構成された消音バーと、回動軸を回動させ、消音バーの突出方向を変更し、鍵盤楽器を消音モードと発音モードとに切替える切替手段と、キーの各キーに対応して設けられ、打鍵されたキーを検出する打鍵検出スイッチ群と、鍵盤メカユニットを空洞から引き出す際に回動軸を支持位置から降下させる支持位置解除手段とを備えることを特徴とする。
【００１１】
この発明で請求する電子楽器用消音装置は装着対象となる鍵盤楽器のハンマーレールに沿って配列された複数の回動アームと、この複数の回動アームの相互間に回動自在に装着された回動軸と、この回動軸の周面から一方向に突出した消音バーと、回動軸の回動位置を調整し、消音バーの突出方向を切替える切替手段と、消音バーの位置を高位置から定位置に開放させる支持位置解除手段とを備えることを特徴とする。
【００１２】
この発明による電子楽器用消音装置は前記記載の電子楽器に実装する電子楽器用消音装置において、鍵盤メカユニットに実装されているハンマーシャンクの回動面と平行する回動面に沿って回動自在に支持され、鍵盤メカユニットの全幅を複数に分割し、各分割点毎に設けた複数の回動アームと、この複数の回動アームのそれぞれの回動遊端側の相互に差し渡され、ハンマーシャンクの配列方向と平行する軸を回動軸芯として回動自在に支持された回動軸と、この回動軸の周面から一方向に突出した突片及びこの突片の突出端に装着した緩衝材とによって構成した消音バーと、この消音バーの突出方向を調整し、鍵盤楽器を発音モードと消音モードとに切替える切替え手段と、平素は消音バーの位置をハンマーシャンクから離れた位置に支持し、鍵盤メカユニットを楽器本体から引き出す際は消音バーの支持位置をハンマーシャンクから離れた位置からハンマーシャンクに近づく位置に降下させる支持位置解除手段とを備えることを特徴とする。
【００１３】
この発明による電子楽器用消音装置は更に前記記載の電子楽器用消音装置において、支持位置解除手段と回動アームとの間に消音バー支持位置微調手段を備え、消音バーの架設位置を微調整できる構成としたことを特徴とする。
【００１４】
この発明による電子楽器用消音装置は更に、前記記載の電子楽器用消音装置において、消音バーは前記ハンマーの配列の全幅の区間において複数に分割され、各分割区間毎に支持位置解除手段と消音バー支持位置微調手段を備える構成としたことを特徴とする。
【００１５】
この発明による電子楽器用消音装置は更に、前記記載の電子楽器用消音装置において、消音バーはハンマーの配列の全幅の区間において複数に分割され、一部の分割位置において、クランク形状の継手によって連結し、このクランク形状の継手によって楽器本体のフレームの突起を回避構成としたことを特徴とする。
【発明の効果】
【００１６】
この発明による電子楽器によれば簡素な操作によってピアノを発音モードと消音モードに切り替えることができる。更に、この発明による電子楽器用消音装置によれば鍵盤メカユニットに消音装置を組み込む構造としたから、鍵盤メカユニットを楽器本体から引き出した状態で組み込み作業を行なうことができるから組み込む作業は容易である。従って、後付けする場合でもユーザ宅で簡素に組み込みを行なうことができる利点が得られる。
【発明を実施するための最良の形態】
【００１７】
この発明ではハンマーの配列を複数の区分に分割し、各区分の境界毎に、一端が鍵盤メカユニットの固定部材に対して回動自在に軸支した複数の回動アームを設ける。この回動アームは平素は消音バーを所定位置に支持するための支持手段として作用するが、鍵盤メカユニットを楽器本体から引き出す際及び鍵盤メカユニットを外部から楽器本体に収納する際に消音バーを楽器本体に備えたピン板の下を通過させるために下向に降下させる降下手段として作用する。
【００１８】
回動アームの回動遊端の相互間に回動軸が回動自在に軸支される。回動軸の一部の相互間はクランク形状の継手で連結される。クランク状の継手により補強アームの存在を回避し、実質的にフレームの存在位置を回転軸芯が貫通した姿勢を維持して回動軸を回動自在に軸支する。
【００１９】
回動軸の周面の一部から一方向に突片を突出形成し、この突片の突出端辺にフェルトのような緩衝材を装着し、この突片と緩衝材とによって消音バーを形成する。回動軸を回動させ、消音バーの突出方向を選択することにより、打鍵時に跳ね上げられたハンマーシャンクが消音バーに当たり、ハンマーが弦に当たる直前で上昇を阻止する状態（消音モード）と、ハンマーシャンクの上昇は消音バーに阻止されることなく達せられ、従ってハンマーが弦に衝突する状態（発音モード）とに切り替えることができる。
【００２０】
消音モードでは各キーに装着した打鍵検出スイッチが打鍵されたキーを検出し、各キーに割り当てられた音名の音を電子回路で生成し、電気回路により音を発生する電子楽器として作用する。
【実施例１】
【００２１】
図１乃至図５にこの発明による電子楽器の実施例を示す。図６及び図７と対応する部分には同一符号を付して示す。
図１及び図２は演奏可能な状態におけるこの発明による電子楽器の要部を説明するための図１は平面図、図２は側面図を示す。図中２３は図７で説明したハンマーシャンク２３を示す。このハンマーシャンク２３は一端がハンマーレール２５にハンマーレール２５の長手方向と平行する向の回動軸を軸芯として回動自在に支持されている。ハンマーシャンク２３がハンマーレール２５の軸支持位置を中心に回動し、ハンマーシャンク２３の回動遊端に装着されているハンマー２４が跳ね上げられ、ハンマー２４は弦１６を打弦する。図２に示すＫＳＷは打弦検出スイッチを示す。この打弦検出スイッチＫＳＷはどの音に対応するキーが打弦されたかを検出し、その検出信号を音源回路に伝達する。
【００２２】
この発明では図１に示すようにハンマー２４の配列方向の全幅の区間をハンマー２４の配列方向の全幅の区間を例えばＡ、Ｂ、Ｃ、Ｄの４区間に分離し、各分離点の各境界位置に回動アーム２６を装着する。回動アーム２６はハンマーレール２５に固定した後付け固定具２７によって回動自在に支持される。後付け固定具２７はこの実施例では例えば図４に示すようにコ字状に折曲げた金属板に切欠２７Ａを形成し、この切欠２７Ａをハンマーレール２５に係合させ、コ字状に折曲げた二枚の板を連結する連結部２７Ｂに螺合したネジ２７Ｃをハンマーレール２５に突き当てハンマーレール２５に向ってネジ２７Ｃの先端を締付けることによって後付け固定具２７をハンマーレール２５に固定した場合を示す。このように固定した後付け固定具２７はハンマーレール２５の長手方向と垂直に交叉する面２７Ｄを有し、この面に垂直に回動支持軸２７Ｅを植設し、この回動支持軸２７Ｅに回動アーム２６を回動自在に軸支する。従って、回動アーム２６はハンマーシャンク２３の回動面と平行する回動面に沿って回動自在に支持される。
【００２３】
回動アーム２６は軸支持点位置を中心にキー２２の突出方向に突出した前方突出部２６Ａと、ハンマーシャンク２３の突出方向に突出した後方突出部２６Ｂとを有する。前方突出部２６Ａは後付け固定具２７の連結部２７Ｂに近接する位置まで延長され、その延長端部に折曲部２６Ａ−１を形成し、この折曲部２６Ａ−１にネジ２６Ａ−２を例えば溶着等により植設する。ネジ２６Ａ−２を固定板２６Ａ−３に形成した孔に貫通させ、固定板２６Ａ−３の表裏を一対のナット２６Ａ−４で挟み付け、ナット２６Ａ−４の螺合位置を調整することにより、回動アーム２６の回動支持位置を微調整できるように構成する。従って、ネジ２６Ａ−２と、固定板２６Ａ−３と、ナット２６Ａ−４とによって消音バーの支持位置を微調整する消音バー支持位置微調手段３０（図２、図４参照）を構成する。
【００２４】
固定板２６Ａ−３は後付け固定具２７に向って延長され、その延長部分に孔２６Ａ−５（図４参照）を形成する。この孔２６Ａ−５に支持位置解除手段２６Ａ−６を構成するネジを貫通させる。後付け固定具２７の連結部２７Ｂにはネジ孔が設けられ、このネジ孔に支持解除手段２６Ａ−６を構成するネジを螺合し、締付けることにより固定板２６Ａ−３を連結部２７Ｂに固定する。
【００２５】
固定板２６Ａ−３が後付け固定具２７の連結部２７Ｂに固定されている状態では回動アーム２６の後方突出部２６Ｂの先端は図２に示すようにハンマーシャンク２３より離れた位置（上部位置）に支持される。
【００２６】
回動アーム２６の後方突出部２６Ｂの回動遊端側には、回動アーム２６の相互間に回動軸２８を回動自在に支持する。つまり、回動軸２８の回動軸芯はハンマーシャンク２３の配列方向と平行する軸芯によって回動自在に軸支持される。
【００２７】
回動軸２８の周面にはその一部に突片２９Ａ（図２参照）が一方向に突出形成される。突片２９Ａの突出端には例えばフェルトのような緩衝材２９Ｂを装着する。これら突片２９Ａと緩衝材２９Ｂとによって消音バー２９を構成する。回動軸２８は図１に示す区間Ａ〜Ｄの全てにわたっての各境界位置では折曲り可能であるが、回転方向に関しては連結されている。消音バー２９は全ての区間Ａ〜Ｄの何れにおいても、同一の角度方向に突出した状態で各回動アーム２６の相互間に架設される。
【００２８】
消音バー２９が図２に示す角度θ１に存在する状態では、打鍵に対応して跳ね上げられたハンマーシャンク２３はハンマー２４が弦１６に達する直前に消音バー２９に衝合し、弦１６からの音の発生を阻止する。消音バー２９の回動位置を図２に示す角度θ２に設定した場合は、打鍵されて跳ね上げられたハンマーシャンク２３は途中で消音バー２９に衝合することなく、従ってハンマー２４を弦１６に衝合させ、弦１６から音を発生させる。この結果回動軸２８を回動操作し、消音バー２９の回動位置を図２に示す角度位置θ１とθ２に設定することにより消音モードと発音モードとに設定することができる。
【００２９】
回動軸２８を回動操作し、消音モードと発音モードとに切り替える切替手段４０としては図５に示すように回動軸２８の周面から回動軸２８の軸芯に向って形成した孔２８Ａと、この孔２８Ａに差し込んで回動軸２８を回動操作する操作レバー３１とによって構成することが考えられる。また他の方法として或る回動アーム２６の板面に装着したモータと、このモータの駆動力を回動軸２８に伝達する減速ギアと、消音モードと発音モードの設定に応じてモータを正転方向と逆転方向に起動させる制御回路と、消音バー２９の突出位置θ１とθ２の位置を検出してモータを停止させる制御回路とを備えた構成も考えられる。
【００３０】
尚、図１に示した平面図において、低音部区間Ａと中音部区間Ｂとの間にクランク形状の継手３２を設けた例を示す。このクランク形状の継手３２はこの部分に弦１６の位置より下向に大きく突出したフレーム１５が存在するから設けられたものである。つまり、クランク形状の凹部にフレーム１５の突出部分を収納し、これにより回動軸２８をフレーム１５の障害を回避して全ての区間Ａ〜Ｄで一体に回転方向に連結できるように構成したものである。
【００３１】
また先に図４を用いて説明したナット２６Ａ−４はネジ２６Ａ−２に対する螺合位置を調整することにより回動アーム２６の回動位置を微調整することができる。この結果、各区間Ａ〜Ｄの何れの区間でも独自に回動軸２８の架設位置、つまり消音バー２９の架設位置を微調整することができる。この結果音域に応じてハンマーシャンク２３が消音バー２９に当接するタイミングを微調整することができる。つまり、ハンマーシャンク２３が消音バー２９に当接するタイミングをハンマー２４が弦１６に当たる直前のタイミングで微調整することができる。これにより打鍵の感触を発音モードのそれに合致させる調整を行なうことができる。
【００３２】
この点において、特許文献１では脱進タイミング変更機構を設け、消音モード時にあっても発音モード時と同等の打鍵感触が得られる構成としているが、この発明では消音バー２９をハンマー２４が弦１６に衝突する直前のタイミングに設定可能であることをもって、脱進タイミング変更機構を設ける必要がない利点が得られる。
以上は発音モード及び消音モードの何れでも平素の演奏可能な状況の説明である。以下では例えば調律等を行なう場合において鍵盤メカユニット２０（図７参照）を楽器本体１０（図６参照）から引き出すことが可能であることを説明する。
【００３３】
鍵盤メカユニット２０を楽器本体１０から引き出す場合は、図４に示した固定板２６Ａ−３を後付け固定具２７に固定している支持位置解除手段２６Ａ−６を取り外し、固定板２６Ａ−３を後付け固定具２７から解放することにより、回動アーム２６は図３に示す状態に回動する。つまり、この回動状態では消音バー２９はハンマーシャンク２３に近づいた位置に降下する。この結果、回動軸２８の位置が図２の場合と比較してピン板１４の下面の位置より低くなり、この状態では基台２１を引き出すことにより鍵盤メカユニット２０を楽器本体１０から支障なく引き出すことができる。また、鍵盤メカユニット２０に後付けにより消音装置を増設した状態で回動アーム２６を図３に示す姿勢に降下させることにより、楽器本体１０の外から鍵盤メカユニット２０を支障無く楽器本体１０の内部に収納することができる。収納後に固定板２６Ａ−３（図４参照）を後付け固定具２７に固定すれば演奏可能な状態に設定することができる。
【産業上の利用可能性】
【００３４】
製造中のピアノは元より、販売されたピアノに対しても後付けにより消音装置を比較的安価に増設することができる。この結果従来より幅広いユーザに消音機能付ピアノを実用できる機会が与えられる。
【図面の簡単な説明】
【００３５】
【図１】この発明による電子楽器の要部を説明するための平面図。
【図２】この発明による消音装置の構成を説明するための側面図。
【図３】この発明による消音装置の動作を説明するための側面図。
【図４】この発明による消音装置の要部を詳細に説明するための斜視図。
【図５】この発明による消音装置の発音モードと消音モードとの切替え手段の実施例を説明するための図。
【図６】従来の技術を説明するための斜視図。
【図７】従来の技術を説明するための側面図。
【符号の説明】
【００３６】
１０    楽器本体                            ２３    ハンマーシャンク
１１    棚板                                ２４    ハンマー
１２    開放面                              ２５    ハンマーレール
１３    側板                                ２６    回動アーム
１４    ピン板                        ２６Ａ−６    支持位置解除手段
１５    フレーム                            ２７    後付け固定具
１６    弦                                  ２８    回動軸
１７    空洞                                ２９    消音バー
２０    鍵盤メカユニット                    ３０    消音バー支持位置微調手段
２１    基台                                ３１    操作レバー
２２    キー                                ４０    切替手段
【図１】
2008233642.tif 000003
【図２】
2008233642.tif 000004
【図３】
2008233642.tif 000005
【図４】
2008233642.tif 000006
【図５】
2008233642.tif 000007
【図６】
2008233642.tif 000008
【図７】
2008233642.tif 000009